(57)【特許請求の範囲】
【請求項１】
コージェネレーションシステムであって、
電気および熱を生成するための発電装置と、
前記発電装置によって生成された熱を媒体で貯めるように構成された貯留手段と、
前記媒体に保持されている熱を使用するように構成された複数の温水利用設備と、
前記貯留手段に貯められている熱を前記温水利用設備に消費させるように構成された制御装置と、を備え、
前記制御装置は、
前記複数の温水利用設備のうちから１つ以上の温水利用設備を選択するユーザ操作を受付けるための操作受付部を含み、
前記貯留手段に貯められている熱量と第１閾値および当該第１閾値よりも大きい第２閾値を含む複数の閾値それぞれとを比較し、比較結果に基づき、前記貯留手段に貯められている熱量が前記第１閾値以上である場合に、前記複数の温水利用設備のうち、予め定められた前記温水利用設備に消費させ、当該熱量が前記第２閾値以上である場合に、前記予め定められた温水利用設備と前記操作受付部により受付けられた前記ユーザ操作内容が示す１つ以上の温水利用設備とに消費させるように構成されている、コージェネレーションシステム。
【請求項２】
前記複数の閾値は、さらに、前記第１閾値よりも小さい第３閾値を含み、
前記制御装置は、
前記比較結果に基づき、前記貯留手段に貯められている熱量が前記第３閾値以下である場合に、前記複数の温水利用設備による熱の消費を停止するようにさらに構成されている、請求項１に記載のコージェネレーションシステム。
【請求項３】
前記制御装置は、
前記１つ以上の温水利用設備の選択をユーザに問合せる情報を出力するようにさらに構成される、請求項１または２に記載のコージェネレーションシステム。
【請求項４】
前記問合せる情報は、前記１つ以上の温水利用設備の選択の候補を含み、
前記制御装置は、
前記比較結果に基づき、前記問合せる情報に含める前記１つ以上の温水利用設備の選択の候補を変更するようにさらに構成される、請求項３に記載のコージェネレーションシステム。
【請求項５】
前記コージェネレーションシステムの動作モードは、当該コージェネレーションシステムへの電源電圧が供給されない場合に発電できる自立発電モードを含み、
前記制御装置は、前記動作モードが前記自立発電モードである場合に、前記貯留手段に貯められている熱を前記温水利用設備に消費させるように構成されている、請求項１から４のいずれか１項に記載のコージェネレーションシステム。
【発明の詳細な説明】
【技術分野】
【０００１】
本開示は、コージェネレーションシステムの制御に関し、より特定的には、自立運転機能を備えるコージェネレーションシステムの制御に関する。
【背景技術】
【０００２】
コージェネレーションシステムの排熱に関し、たとえば、特開２００９−２０４２３９号公報（特許文献１）は、「貯留手段内に蓄熱される熱量が限界又は限界に近い状況の際でも、発電装置を常時駆動させることができ、排出される蓄熱された湯水が浴室外に侵入することがないコージェネレーションシステム」を開示している（［要約］の［課題］）。
【０００３】
特開２００６−８４０５６号公報（特許文献２）は、「熱需要優先型コジェネレーション装置において、発電出力を得るために熱需要がない場合にも運転可能にする」ための技術を開示している。具体的には、「熱要求出力部は熱要求を出力するとともに熱需要が大きいときには特別に追い焚き要求を出力する」というものである（［要約］参照）。
【先行技術文献】
【特許文献】
【０００４】
【特許文献１】特開２００９−２０４２３９号公報
【特許文献２】特開２００６−８４０５６号公報
【発明の概要】
【発明が解決しようとする課題】
【０００５】
コージェネレーションシステムにおいて自立発電を用いて電力供給を行う場合において、自立発電時に生じる排熱処理は、貯湯タンク内の熱容量が飽和するまでは貯湯タンクに蓄熱し、飽和すると浴室乾燥機を強制運転するか、貯湯タンク内の温水を捨てるかのいずれかの処理を行うことにより排熱し、自立運転を継続している。そのため、ユーザが希望する設備での熱利用でない場合があった。また、熱利用が間に合わず貯湯タンク内の熱容量が飽和してしまうおそれもあった。したがって、排熱を効果的に行う技術が必要とされている。
【０００６】
本開示は、上述のような問題点を解決するためになされたものであって、その目的は、ユーザが意図した排熱処理が実現されるコージェネレーションシステムを提供することである。他の局面の目的は、排熱の有効利用が可能になるコージェネレーションシステムを提供することである。
【課題を解決するための手段】
【０００７】
一実施の形態に従うコージェネレーションシステムは、電気および熱を生成するための発電装置と、発電装置によって生成された熱を媒体で貯めるように構成された貯留手段と、媒体に保持されている熱を使用するように構成された複数の温水利用設備と、貯留手段に貯められている熱を温水利用設備に消費させるように構成された制御装置と、を備える。
【０００８】
制御装置は、複数の温水利用設備のうちから１つ以上の温水利用設備を選択するユーザ操作を受付けるための操作受付部を含み、貯留手段に貯められている熱量と複数の閾値それぞれとを比較し、比較結果に基づき、操作受付部により受付けられたユーザ操作内容が示す１つ以上の温水利用設備に消費させるように構成されている。
【０００９】
好ましくは、複数の閾値は、第１閾値および当該第１閾値よりも大きい第２閾値を含み、制御装置は、貯留手段に貯められている熱量が第１閾値以上である場合に、複数の温水利用設備のうち、予め定められた温水利用設備に消費させ、当該熱量が第２閾値以上である場合に、予め定められた温水利用設備と受付けられたユーザ操作内容が示す1つ以上の温水利用設備とに消費させるように構成されている。
【００１０】
好ましくは、複数の閾値は、第１閾値および当該第１閾値よりも小さい第３閾値を含み、制御装置は、貯留手段に貯められている熱量が第１閾値以上である場合に、複数の温水利用設備のうち、予め定められた温水利用設備に消費させ、当該熱量が第３閾値以下である場合に、複数の温水設備による熱の消費を停止するようにさらに構成されている。
【００１１】
好ましくは、制御装置は、１つ以上の温水利用設備の選択をユーザに問合せる情報を出力するようにさらに構成される。
【００１２】
好ましくは、問合せる情報は、比較結果に基づく情報を含む。
好ましくは、コージェネレーションシステムの動作モードは、当該コージェネレーションシステムへの電源電圧が供給されない場合に発電できる自立発電モードを含む。制御装置は、動作モードが自立発電モードである場合に、貯留手段に貯められている熱を温水利用設備に消費させるように構成されている。
【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】実施の形態に係るコージェネレーションシステムの構成の概要を表わす図である。
【図２】実施の形態に係るコージェネレーションシステムが備える制御装置が実行する処理の一部を表わすフローチャートである。
【図３】実施の形態に係るコージェネレーションシステムに含まれるモニタにおける画面の表示態様を表わす図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
［技術思想］
本実施の形態に係る技術思想は、以下のとおりである。温水循環式の床暖房装置あるいは浴室乾燥機等の複数の温水利用設備が接続されているコージェネレーションシステムにおいて、ユーザの選択操作に基づき、複数の温水利用設備のうちから１つ以上の温水利用設備を特定し、特定された温水利用設備による当該システムに貯められた熱量の消費は、貯められた当該熱量と複数の閾値それぞれとの比較の結果に基づいて、実施される。これにより、ユーザが意図した排熱処理を実施可能である。
【００１７】
なお、別の局面において、ユーザの選択操作に基づき、複数の温水利用設備のうちから１つ以上の温水利用設備を特定する場合に、ユーザが指定した優先順位により排熱先である温水利用設備を特定してもよい。このような順序で排熱するとより多くの熱が使用されるため、排熱効率が高まる。
【００１８】
＜実施の形態１＞
＜コージェネレーションシステムの概略構成＞
図１を参照して、本実施の形態に係るコージェネレーションシステム３０の構成について説明する。図１は、コージェネレーションシステム３０の構成の概要を表わす図である。コージェネレーションシステム３０は、制御装置１００と、発電ユニット１１０と、蓄熱タンク１２０と、補助熱源１３０と、浴槽１４０と、床暖房装置１５０と、浴室乾燥機１６０と、排熱熱交換器１７１と、暖房熱交換器１７２と、風呂熱交換器１７３と、開閉弁１８１，１８２，１８３と、モニタ１９０と、浴槽の自動掃除機能３１０（以下、ＡＢＵ３１０ともいう。）、洗濯機注水ユニット５１０（以下、ＲＣＳ５１０という。）と、洗濯槽５２０と備える。ここでは、浴槽１４０と、床暖房装置１５０と、浴室乾燥機１６０と、ＡＢＵ３１０および洗濯槽５２０を含む機器は、蓄熱タンク１２０に保持されている熱を使用するように構成された「温水利用設備」の一実施例である。
【００１９】
なお、「温水利用設備」はこれに限定されず、たとえば、食洗機が含まれてもよい。
制御装置１００は、マイクロコンピュータに相当する機能を有し、例えば、ＣＰＵ（Central Processing Unit）１０１および揮発性および不揮発性の記憶媒体からなるメモリ１０２を有する。制御装置１００は、コージェネレーションシステム３０の動作を制御する。ある局面において、制御装置１００は、発電ユニット１１０による作動を制御する。
【００２０】
制御装置１００は、コージェネレーションシステム３０に対し図示しない商用電源からの供給電力が遮断される停電時には、発電ユニット１１０を起動し発電を開始させる。これにより、系統電力から自立してコージェネレーションシステム３０を発電運転させることができる。したがって、系統電力が遮断されている場合であっても、発電ユニット１１０に燃料（例えば、ガス）が供給されている間は、自立運転による発電が可能である。
【００２１】
補助熱源１３０は補助熱源１３０に入水される湯水の温度と蓄熱タンク１２０内の熱量をもとに燃焼運転する。例えば、貯湯タンク１２０内の湯水とミキシングしても設定温度まで到達しないような熱量しか蓄熱タンク１２０内に貯めることができていないようであれば補助熱源１３０は燃焼運転をする。
【００２２】
また、浴槽１４０は自動排水栓（図示せず）を有する。自動排水栓は制御装置１００と通信し、制御装置１００（またはリモコン）からの指示に従い栓を開閉する。
【００２３】
床暖房装置１５０は、図示しない床暖房リモコン（リモートコントローラの略）を備えている。床暖房リモコンは制御装置１００と通信する。床暖房装置１５０は、床暖房リモコンからの指示を、制御装置１００を介して受信し、受信した指示に従い暖房回路の図示しない熱動（開閉）弁を開閉する。
【００２４】
浴室乾燥機１６０は、制御装置１００と通信し、浴室に関連して設けられた暖房回路は、浴室乾燥機１６０からの指示に従い当該暖房回路の図示しない熱動（開閉）弁が開閉する。
【００２５】
制御装置１００は、開閉弁１８１，１８２，１８３の各々の開閉を制御する。制御装置１００による動作の態様は、モニタ１９０その他制御装置１００に対して与えられる命令に基づいて実現される。
【００２６】
モニタ１９０は、コージェネレーションシステム３０の動作状況、設定内容、ガイダンス、問合わせ等の各種の情報を表示する。モニタ１９０は、ある局面において専用のモニタとして家屋の壁面に設置される。別の局面においては、モニタ１９０は、タブレット端末その他の情報通信端末が備えるモニタによって実現され得る。
【００２７】
発電ユニット１１０は、電気および熱を生成するための「発電装置」の一実施例である。発電ユニット１１０は、たとえば、ガスエンジン、燃料電池等を含む。発電ユニット１１０から発生する熱を回収することにより暖められた冷却水は、排熱熱交換器１７１に送られる。
【００２８】
蓄熱タンク１２０は、発電ユニット１１０によって生成された熱を媒体で貯めるように構成された「貯留手段」の一実施例である。蓄熱タンク１２０は媒体に相当する湯水を保持する。蓄熱タンク１２０は、開閉弁１８１の開閉に応じて湯水を排熱熱交換器１７１に送り、開閉弁１８２の開閉状況に応じて、補助熱源１３０から送られる湯水の供給を受ける。蓄熱タンク１２０内にはサーミスタが設置される。サーミスタは、貯留されている湯水の温度を検出し、制御装置１００に出力する。
【００２９】
蓄熱タンク１２０は、常に満水状態に維持される。蓄熱タンク１２０は、内部に貯留されている湯水の水位方向の温度成層を形成させるものであり、その内部の温度分布は、上述のサーミスタにより検出される。制御装置１００は、サーミスタの出力に基づき、蓄熱タンク１２０に貯まっている熱量を検出（算出）する。
【００３０】
排熱熱交換器１７１は、たとえば、液−液熱交換器を含み、発電ユニット１１０から送られる温水の熱により、蓄熱タンク１２０から送られる湯水を加熱する。
【００３１】
補助熱源１３０は、制御装置１００の制御に基づいて、排熱熱交換器１７１から送られる湯水を加熱する。補助熱源１３０から送られる湯水は、開閉弁１８２の開閉状況に応じて、浴槽１４０側（ＡＢＵ３１０，ＲＣＳ５１０を含む）または風呂熱交換器１７３に送られる。
【００３２】
風呂熱交換器１７３は、たとえば、液‐液熱交換器を含み、開閉弁１８２から送られる湯水の熱を用いて、浴槽１４０から送られる湯水を加熱する。風呂熱交換器１７３によって加熱された湯水は、暖房熱交換器１７２に送られる。
【００３３】
暖房熱交換器１７２は、たとえば、液‐液熱交換器を含み、床暖房装置１５０または浴室乾燥機１６０に供給される湯水を加熱する。加熱された湯水は、制御装置１００の制御に応じて、床暖房装置１５０または浴室乾燥機１６０に供給される。暖房熱交換器１７２から送られる湯水は、排熱熱交換器１７１に送られる。
【００３４】
開閉弁１８１は、制御装置１００の制御に基づいて、排熱熱交換器１７１と、暖房熱交換器１７２と、蓄熱タンク１２０との間で湯水の流れる方向および流量を切り換える。開閉弁１８２は、湯水の流れる方向および流量を、給湯、浴槽１４０または風呂熱交換器１７３の間で切り換える。開閉弁１８３は、湯水の流れる方向および流量を、給湯と浴槽１４０との間で切り換える。また、開閉弁１８２，１８３は、湯水を洗濯槽５２０に供給するように湯水の流れる方向および湯量を切り換える。ＲＣＳ５１０は、制御装置１００からの命令に基づいて、洗濯機への湯水の供給を調整する。たとえば、ある局面において、ＲＣＳ５１０は、開閉弁１８２，１８３を経由して供給される湯水を洗濯槽５２０に供給する。別の局面において、ＲＣＳ５１０は、開閉弁（図示しない）を切り換えて、浴槽１４０の湯水を洗濯槽５２０に供給する。
【００３５】
［制御構造］
図２を参照して、本実施の形態に係るコージェネレーションシステム３０の制御構造について説明する。図２は、本実施の形態にかかるコージェネレーションシステム３０が備える制御装置１００（より特定的にはＣＰＵ１０１）が実行する処理の一部を表わすフローチャートである。このフローチャートは、予めプログラムとしてメモリ１０２に格納される。ＣＰＵ１０１は、メモリ１０２からプログラムを読出し、実行する。なお、ここでは図２の処理はプログラムで実現されるとしたが、プログラムと回路の組合せにより実現されてもよい。図２のプログラムは、自立運転時はＣＰＵ１０１により繰り返し実行される。
【００３６】
図２の処理では、制御装置１００は、蓄熱タンク１２０に貯められている熱量と複数の閾値それぞれとを比較し、比較の結果に基づき、温水利用設備の１つ以上に当該熱量を消費させるように構成されている。この複数の閾値は、「第１閾値」に相当する中間値、「第２閾値」に相当する上限値（ただし、上限値＞中間値）、および「第３閾値」に相当する下限値（ただし、下限値＜中間値）を含む。実施の形態では、複数の閾値は、予め実験等により取得されてメモリ１０２に格納されている。
【００３７】
また、図２に示す標準設定設備Ａは、メモリ１０２の不揮発性記憶領域に格納されるデータが示す１つ以上の温水利用設備を示す。このデータは、コージェネレーションシステム３０の設置時、または制御装置１００の工場出荷時等に当該不揮発性記憶領域に格納される。標準設定設備Ａは、例えば、床暖房装置１５０または浴室乾燥機１６０を含む。また、図２に示すユーザ設定設備ＢおよびＣは、モニタ１９０を介したユーザの選択操作内容に基づき、制御装置１００によってメモリ１０２の書換え可能領域に格納されたデータが指す１つ以上の温水利用設備を示す。ユーザ設定設備Ｂは、例えば浴槽１４０を含む。ユーザ設定設備Ｃは、例えばＡＢＵ３１０または洗濯槽５２０を含む。
【００３８】
また、制御装置１００は、各温水利用設備について現在運転中であるか、または停止中であるかを示す情報をメモリ１０２に格納して管理する。
【００３９】
図２を参照して、自立運転時には、ステップＳ３にて、制御装置１００は、蓄熱タンク１２０内に貯められた熱量を検出し、検出熱量と上限値とを比較し、比較結果から、検出熱量は上限値以上であるか否かを判断する（ステップＳ５）。上限値以上であると判断されると（ステップＳ５でＹＥＳ）、制御装置１００は、コージェネレーションシステム３０の温水利用設備のうち標準設定設備Ａおよびユーザ設定設備Ｂを運転する（ステップＳ７）。その後、処理を終了する。
【００４０】
検出熱量は上限値以上ではないと判断されると（ステップＳ５でＮＯ）、処理はステップＳ９に移行する。ステップＳ９にて、制御装置１００は、蓄熱タンク１２０内の検出熱量と上限値および中間値とを比較し、比較結果から、（上限値＞検出熱量≧中間値）の条件が成立するか否かを判断する。当該条件が成立すると判断されると（ステップＳ９でＹＥＳ）、制御装置１００は標準設定設備Ａのみを運転するよう制御し(ステップＳ１５）、運転中のユーザ設定設備ＢまたはＣがあれば（ステップＳ１１でＹＥＳ）、その運転を停止するようユーザ設定設備ＢまたはＣを制御する（ステップＳ１３）。一方、運転中のユーザ設定設備ＢまたはＣがなければ（ステップＳ１１でＮＯ）、ステップＳ１３の処理はパスされて、制御装置１００は、標準設定設備Ａのみを運転する(ステップＳ１５）。その後、処理を終了する。
【００４１】
一方、（上限値＞検出熱量≧中間値）の条件が成立しないと判断されると（ステップＳ９でＮＯ）、処理はステップＳ１７に移行する。ステップＳ１７にて、制御装置１００は、蓄熱タンク１２０内の検出熱量と中間値および下限値とを比較し、比較結果から、（中間値＞検出熱量≧下限値）の条件が成立するか否かを判断する。当該条件が成立すると判断されると（ステップＳ１７でＹＥＳ）、制御装置１００はユーザ設定設備Ｃのみを運転するよう制御し(ステップＳ２３）、運転中の標準設定設備Ａまたはユーザ設定設備Ｂがあれば（ステップＳ１９でＹＥＳ）、標準設定設備Ａまたはユーザ設定設備Ｂを運転停止するように制御する（ステップＳ２１）。一方、運転中の標準設定設備Ａまたはユーザ設定設備Ｂがなければ（ステップＳ１９でＮＯ）、ステップＳ２１の処理はパスされて、制御装置１００は、ユーザ設定設備Ｃのみを運転する(ステップＳ２３）。その後、処理を終了する。
【００４２】
一方、（中間値＞検出熱量≧下限値）の条件が成立しないと判断されると（ステップＳ１７でＮＯ）、制御装置１００は、運転中の全ての温水利用設備を、運転を停止するように制御する（ステップＳ２５）。その後、処理を終了する。
【００４３】
以上のようにして、本実施の形態に係るコージェネレーションシステム３０によれば、ユーザは排熱先を選択できるため、ユーザの意図に沿った排熱処理経路を確保しつつ、自立運転を行なうことができる。また、自立運転時は蓄熱タンク１２０に貯められている熱量と複数の閾値それぞれとを比較し、比較結果に基づき、温水利用設備（標準設定設備Ａ、ユーザ設定設備Ｂ，Ｃの１つ以上）を切り換えながら、切り換えられた温水利用設備にて熱量を消費させるように構成されるので、熱利用が間に合わずに蓄熱タンク１２０内の熱容量が飽和する事態を回避して、自立運転を継続することができる。
【００４４】
図３を参照して、本実施の形態に係るコージェネレーションシステム３０のモニタ１９０について説明する。図３は、コージェネレーションシステム３０に含まれるモニタ１９０における画面の表示態様を表わす図である。制御装置１００は、モニタ１９０からユーザ操作を受付けるための「操作受付部」の機能と、モニタ１９０に情報を出力するための「出力部」の機能とを備える。
【００４５】
ある局面において、画面（Ａ）（図３（Ａ））に示されるように、モニタ１９０は、ユーザ設定のための画面を表示する。ユーザが、項目１（排熱先の設定）を選択すると、モニタ１９０は、画面（Ａ）から画面（Ｂ）（図３（Ｂ））に表示を切り換える。画面（Ｂ）は、１つ以上の温水利用設備の選択をユーザに問合せる情報を出力するための画面である。
【００４６】
画面（Ｂ）に示されるように、モニタ１９０は、排熱先の設定項目として、“高温湯水”利用による排熱先を設定するためのウィンドウ１９１と“低温湯水”利用による排熱先を設定するためのウィンドウ１９２を表示する。ウィンドウ１９１には、比較的高温の湯水を利用する候補（温水利用設備の識別子（名称等））が表示される。たとえば「浴槽」等が表示される。ウィンドウ１９２には、比較的低温の湯水を利用する候補が表示される。たとえば、「ＡＢＵ」、「洗濯槽」、「食洗機」が表示される。また、別の局面において、さらにモニタ１９０は、各排熱先について優先順位を設定するための項目を表示する。ユーザは、画面（Ｂ）を参照しながら、ウィンドウ１９１および１９２のそれぞれについて、排熱先を選択操作して指定するとともに、複数の排熱先を選択した場合には、いずれを優先させるべきかを優先順位として指定する操作を行うことができる。
【００４７】
制御装置１００は、図３に示したモニタ１９０の画面からのユーザ操作を受付けるための操作受付部の機能と、操作受付部により受付けられたユーザの選択操作に基づき、複数の温水利用設備のうちから１つ以上の温水利用設備を特定する機能とを備える。この場合に、ユーザの操作内容により、指定された優先順位に従い、熱を消費させる１つ以上の温水利用設備を特定するようにしてもよい。
【００４８】
制御装置１００は、ウィンドウ１９１を介して受付けられたユーザの選択操作に基づき、“高温湯水”による排熱先である１つ以上の温水利用設備を、すなわちを「浴槽」等を特定する。特定された「浴槽」を示すデータは、ユーザ設定設備Ｂとしてメモリ１０２に格納される。また、制御装置１００は、ウィンドウ１９２を介して受付けられたユーザの選択操作に基づき、“低温湯水”による排熱先である１つ以上の温水利用設備を、すなわちを「ＡＢＵ」、「洗濯槽」、「食洗機」の１つ以上を特定する。特定された「ＡＢＵ」、「洗濯槽」、「食洗機」の１つ以上を示すデータは、ユーザ設定設備Ｃとしてメモリ１０２に格納される。
【００４９】
図３の画面（Ｂ）は、自立運転開始時に、または開始に先立って表示されてもよく、または図２の処理中に表示されてもよい。また、画面（Ｂ）が処理中に表示される場合には、制御装置１００は、ステップＳ５またはＳ１７の熱量と各閾値との比較の結果に基づき、表示させる問合わせ情報が変更されるようにてもよい。例えば、（検出熱量≧上限値）の条件が成立すると判断されたときは（ステップＳ５でＹＥＳ）、制御装置１００はウィンドウ１９１の問合わせの情報を表示するようにモニタ１９０を制御する（ただし、ウィンドウ１９２は非表示）。また、（中間値＞検出熱量≧下限値）の条件が成立すると判断されたときは（ステップＳ１７でＹＥＳ）、制御装置１００はウィンドウ１９２の問合わせの情報を表示するようにモニタ１９０を制御する（ただし、ウィンドウ１９１は非表示）。
【００５０】
上述のように、蓄熱タンク１２０に貯められている熱量に応じて、排熱先の選択候補が切り換えられることで、ユーザに対して、貯まった熱量に応じた利用可能な候補のみを提示することができる。
【００５１】
［実施の形態１の変形例１］
なお、本実施の形態にかかる技術思想は、上述のものに限られず、たとえば、標準設定設備Ａは、ユーザ設定設備Ｂ，Ｃと同様に、モニタ１９０を介したユーザの選択操作内容に基づき、設定されてもよい。
【００５２】
また、標準設定設備Ａは、実施の形態では、床暖房装置１５０または浴室乾燥機１６０としているが、制御装置１００は、外気温度に基づき、床暖房装置１５０または浴室乾燥機１６０の運転を切り換えるとしてもよい。すなわち、本変形例にかかるコージェネレーションシステムは、外気温を検出するためのＦ点サーミスタ（図示せず）の検知温度によって排熱先を、床暖房装置１５０と浴室乾燥機１６０との間で切り換えることができる。また、温度の検出は、Ｆ点サーミスタを用いたものに限られず、たとえば、コージェネレーションシステム３０に入水される水の温度を検出する（図示しない）入水サーミスタの検知温度が用いられてもよい。
【００５３】
また、上記に述べた温度の検出に代替して、例えば、カレンダー情報（季節等を特定するための情報）を基準に判断してもよい。
【００５４】
以上のようにして、本変形例にかかるコージェネレーションシステムによると、制御装置１００は、検知温度から、必要に応じて暖房運転（床暖房装置１５０または浴室乾燥機１６０の運転）を実行する。これにより、ユーザのニーズを加味した運転が実現され得る。
【００５５】
［実施の形態１の変形例２］
上述のウィンドウ１９１において、ユーザ設定設備Ｂとして「浴槽」が選択された場合には、さらに、浴槽を介して湯を棄てる排出モード、または浴槽に湯張りする湯張モードの選択を、ユーザに問い合わせるようにしてもよい。
【００５６】
入浴のために湯張りする場合には、ユーザは湯張モードを選択し、そうでない場合には排出モードを選択することができる。湯張モードでは、制御装置１００は、予め定められた量および温度の湯が浴槽１４０に貯留されるように、注湯制御を実施する。この注湯制御は、公知の制御方法であるから説明は繰返さない。また、排出モードでは、制御装置１００は、浴槽１４０の自動排水栓を開放するように制御する（または、自動排水栓でない場合には、ユーザに排水栓を開放するようにガイダンスする）。これにより、浴槽１４０に供給される湯は、貯留されることなく排水栓を介して排水される。
【００５７】
このように、蓄熱タンク１２０に貯められている熱量が上限値以上である場合に、制御装置１００は、貯められている熱量を媒体（湯水）とともに湯水使用機器（浴槽１４０）において消費するように構成される。また、浴槽１４０を介して排水するように構成される。これにより排熱を促進することができる。したがって、蓄熱タンク１２０内の熱容量が飽和する事態を回避して、自立運転を継続させることができる。
【００５８】
［実施の形態１の変形例３］
実施の形態１では、排熱先として、標準設定設備Ａに追加して、ユーザ選択よるユーザ設定設備ＢとＣを用いたが、これらすべての設備を用いた場合でも、蓄熱タンク１２０の検出熱量が上限値を超える場合には、制御装置１００は、発電ユニット１１０へのガス供給を遮断し、発電を停止させるようにしてもよい。
【００５９】
したがって、ユーザの意図した排熱処理が実現されながら、蓄熱タンク１２０内の熱容量が飽和する事態を回避することが可能となる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
３０  コージェネレーションシステム、１００  制御装置、１１０  発電ユニット、１２０  蓄熱タンク、１３０  補助熱源、１４０  浴槽、１５０  床暖房装置、１６０  浴室乾燥機、１７１  排熱熱交換器、１７２  暖房熱交換器、１７３  風呂熱交換器、１８１，１８２，１８３  開閉弁、１９０  モニタ、３１０  ＡＢＵ、５１０  ＲＣＳ、５２０  洗濯槽。
【図１】
0006464637.tif 000002
【図２】
0006464637.tif 000003
【図３】
0006464637.tif 000004